(57)【要約】【課題】  被検者の息止めの苦痛を和らげ、撮影のスループットを向上する。【解決手段】  Ｘ線管１１を撮影準備状態にするための、レディースイッチ７１、７２を検査室１側に配置し、撮影準備状態に達したＸ線管からＸ線を曝射させるための曝射スイッチ７３を操作室２側に配置した。  これにより、オペレータは、撮影機器や被検者のポジショニングを行うとその場でレディースイッチを押してＸ線管の撮影準備状態の動作を開始させながら、そのまま操作室へ移動して、曝射スイッチを押してＸ線撮影を実施する。よって、オペレータが操作室へ移動している間にＸ線管の撮影準備状態が完了し、操作室に着くと直ぐＸ線撮影を実施できるので、被検者に息止めを要求する時間が短縮されて、被検者の苦痛を軽減し加えて、撮影のスループットも向上できる。【選択図】      図１
2008272132.tif 000002
【特許請求の範囲】
【請求項１】
被検者にＸ線を照射するＸ線管およびこのＸ線管から照射されたＸ線を検出するＸ線検出
器から成るＸ線撮影部と、このＸ線撮影部を操作する操作部とを、別室に配置したＸ線診
断装置において、
前記Ｘ線管を撮影準備状態にするための、前記Ｘ線撮影部側に配置した第１のスイッチと
、
撮影準備状態に達した前記Ｘ線管からＸ線を曝射させるための、前記操作部側に配置した
第２のスイッチと、
を具備することを特徴とするＸ線診断装置。
【請求項２】
前記第１のスイッチは、一度入力操作を行うか、または所定回数入力操作を繰り返すか、
或いは所定時間入力操作を継続することによってオン状態になることを特徴とする請求項
１に記載のＸ線診断装置。
【請求項３】
前記第１のスイッチをオンにしたことに伴う前記Ｘ線管の撮影準備状態は、前記第２のス
イッチがオンされたときまたはその他のキャンセル操作によってキャンセルされることを
特徴とする請求項１または請求項２のいずれか１項に記載のＸ線診断装置。
【請求項４】
第１のスイッチによってＸ線管を撮影準備状態にし、その後第２のスイッチによって前記
Ｘ線管からＸ線を曝射させてＸ線撮影を行うＸ線診断装置において、
少なくとも前記第１のスイッチは、ワイヤーレス型のものであることを特徴とするＸ線診
断装置。
【発明の詳細な説明】
【技術分野】
【０００１】
本発明は、多数の被検者について、順次胸部Ｘ線撮影を実施するような場合に適したＸ
線診断装置に関する。
【背景技術】
【０００２】
一般に、医療機関において放射線を取扱う機器は、放射線防御の見地から、放射線を発
生する機器本体は放射線遮蔽体で囲まれた検査室に設置され、この検査室に隣接する操作
室に、機器本体を遠隔操作する操作部が設置される。Ｘ線診断装置についても、検査室に
は、患者などの被検者にＸ線を照射するＸ線管、このＸ線管から照射されたＸ線を検出す
るＸ線検出器、Ｘ線管やＸ線検出器を支持する支持器、あるいは被検者を載置する寝台な
どから成るＸ線撮影部が配置され、操作室には、Ｘ線撮影部を操作する操作部や撮影した
画像を処理する画像処理装置などが配置されている。
【０００３】
図４は、Ｘ線診断装置の設置される検査室と操作室との関係を示した平面図である。こ
の図に示すように、検査室１と操作室２とは隣接するように配置されていて、両室はドア
３で仕切られているとともに、鉛ガラスなどのＸ線吸収体で構成された窓を通して、室内
の様子が見通せるようになっている。検査室１には、Ｘ線撮影部４としてのＸ線管や絞り
などを備えた支持器４ａ、Ｘ線フィルムカセッテやＸ線平面検出器などのＸ線検出器を支
持する立位スタンド４ｂ、さらには被検者を載置する臥位テーブル４ｃなどが備えられて
いる。また、被検者が出入りするためのドア５が設けられているとともに、検査衣に着替
えるためのカーテンなどで仕切られた更衣室６も設けられている。一方、操作室２には、
Ｘ線診断装置の操作部７や画像処理装置８などが配置されている。勿論、ドア３、ドア５
はＸ線吸収体で構成されている。
【０００４】
なお、Ｘ線撮影を実施する際には、Ｘ線管を撮影準備状態にするためのステップと、撮
影準備状態に達したＸ線管からＸ線を曝射させるためのステップとの２段階の操作が必要
である。そのため、従来は図５に示すように、操作部７に設けられた２段式の押しボタン
型の撮影スイッチ９を用いて、１段目のレディースイッチ９ａを指で押してＸ線管を撮影
準備状態にし、その後２段目の曝射スイッチ９ｂをさらに押し込むことによって撮影を実
施することになっていた（例えば、特許文献１参照。）。
【０００５】
図６は撮影スイッチ９の動作ステップとＸ線撮影部４の動作状態を示したタイミング図
である。すなわち、撮影スイッチ９がオフの状態では、当然ながらＸ線管は停止状態にあ
る。次に、撮影スイッチ９の１段目を押すとレディースイッチ９ａがオンとなり、１段目
のレディースイッチ９ａを押し続けることによって、Ｘ線管のフィラメントが加熱され、
高電圧がチャージされ、Ｘ線管のロータの回転が安定化されるなど、所定の時間を経て撮
影準備状態が整うことになる。この状態をレディー（Ｒｅａｄｙ）状態と称している。そ
して、レディー状態に達した後で２段目の曝射スイッチ９ｂを押すことによって、Ｘ線管
からＸ線が曝射され撮影が完了する。このＸ線の曝射によってＸ線管は停止状態に戻ると
ともに、撮影スイッチ９もオフの状態となる。
【特許文献１】特開２００１−３３３８９４号公報
【発明の開示】
【発明が解決しようとする課題】
【０００６】
ところで、Ｘ線撮影をする際には、医師や技師などのオペレータは、検査室１において
撮影に適するようにＸ線撮影部４および被検者の位置決めを実施し、その後オペレータは
検査室１からドア３を経て操作室２へ移動して、操作部７に設けられている撮影スイッチ
９によりＸ線撮影部４を遠隔的に操作して所望のＸ線撮影を実施することになる。
【０００７】
図７は撮影操作の流れと被検者との関係を示したものである。すなわち、オペレータが
検査室１で被検者やＸ線撮影部４の位置決め（ポジショニング）を実施した後、操作室２
へ移動して撮影スイッチ９を押すことになるが、操作室２へ移動するのに５〜１０秒程度
の時間がかかり、撮影スイッチ９の１段目９ａを押してレディー状態に達するのにも数秒
を要し、その後２段目の曝射スイッチ９ｂを押してやっと撮影が完了することになる。こ
の間、被検者には息を止めたり動かないようにしてもらったりする必要があり、その時間
の長いほど被検者の苦痛を伴う負担が大きいとともに、撮影のスループットも低下して、
殊に集団検診のような多人数の被検者について、順次Ｘ線撮影を実施するような場合には
不都合を生ずることになっていた。
【０００８】
本発明は、このような問題を解決し、被検者の負担を軽減するとともに、スループット
の向上を図ることを目的としてなされたものである。
【課題を解決するための手段】
【０００９】
上述の課題を解決するため、請求項１に記載の発明は、被検者にＸ線を照射するＸ線管
およびこのＸ線管から照射されたＸ線を検出するＸ線検出器から成るＸ線撮影部と、この
Ｘ線撮影部を操作する操作部とを、別室に配置したＸ線診断装置において、前記Ｘ線管を
撮影準備状態にするための、前記Ｘ線撮影部側に配置した第１のスイッチと、撮影準備状
態に達した前記Ｘ線管からＸ線を曝射させるための、前記操作部側に配置した第２のスイ
ッチとを具備することを特徴とするＸ線診断装置。
【００１０】
また、請求項２に記載の発明は、請求項１に記載のＸ線診断装置において、前記第１の
スイッチは、一度入力操作を行うか、または所定回数入力操作を繰り返すか、或いは所定
時間入力操作を継続することによってオン状態になることを特徴とする。
【００１１】
また、請求項３に記載の発明は、請求項１または請求項２のいずれか１項に記載のＸ線
診断装置において、前記第１のスイッチをオンにしたことに伴う前記Ｘ線管の撮影準備状
態は、前記第２のスイッチがオンされたときまたはその他のキャンセル操作によってキャ
ンセルされることを特徴とする。
【００１２】
また、請求項４に記載の発明は、第１のスイッチによってＸ線管を撮影準備状態にし、
その後第２のスイッチによって前記Ｘ線管からＸ線を曝射させてＸ線撮影を行うＸ線診断
装置において、少なくとも前記第１のスイッチは、ワイヤーレス型のものであることを特
徴とする。
【発明の効果】
【００１３】
上記課題を解決するための手段の項にも示したとおり、本発明の特許請求の範囲に記載
する各請求項の発明によれば、次のような効果を奏する。
【００１４】
請求項１に記載の発明によれば、検査室にあるＸ線撮影部（Ｘ線管保持装置、臥位テー
ブル、立位スタンドなど）側に第１のスイッチ（レディースイッチ）を配置したので、医
師や技師などのオペレータは、被検者のポジショニングを行うとその場で第１のスイッチ
（レディースイッチ）を押してＸ線管の撮影準備状態の動作を開始させながら、そのまま
オペレータが操作室へ移動して、操作部側に配置した第２のスイッチ（曝射スイッチ）を
押してＸ線撮影を実施することができる。従って、オペレータが操作室へ移動している間
にＸ線管の撮影準備状態が完了することとなり、オペレータが操作室に着くと直ぐＸ線撮
影を実施することができる。よって、被検者に息止めを要求する時間が短縮されるので、
被検者の苦痛を軽減することができ、加えて、撮影のスループットも向上できる。
【００１５】
請求項２および請求項３に記載の発明によれば、ノイズによる誤動作を防止して、不測
の事態へも対処することができて安全性を向上することができる。
【００１６】
請求項４に記載の発明によれば、第１のスイッチ（レディースイッチ）をワイヤーレス
型のものとしたので、設置場所を固定せず持ち運びが可能であり、操作の自由度をより増
すことができ、撮影のスループットの向上により寄与することができる。
【発明を実施するための最良の形態】
【００１７】
以下、本発明に係るＸ線診断装置の実施例について、図１ないし図３を参照して詳細に
説明する。
【００１８】
図１は、本発明に係るＸ線診断装置の一実施例の概略的な構成を示した系統図である。
Ｘ線診断装置は、検査室１に配置されるものと操作室２に配置されるものとから構成され
ている。検査室１には、Ｘ線管保持装置１０、Ｘ線高電圧装置２０、臥位テーブル３０が
配置され、操作室２には、操作部４０、画像処理装置５０、モニタ６０などが配置されて
いる。
【００１９】
Ｘ線管保持装置１０には、Ｘ線を曝射するＸ線管１１およびＸ線の照射範囲を制限する
Ｘ線絞り器１２と、本発明の特徴となる撮影用のレディースイッチ７１が設けられている
。Ｘ線高電圧装置２０には、Ｘ線管１０に高電圧を印加するための高電圧発生器２１、印
加電圧値や印加時間などを制御するＸ線制御部２２などが設けられている。被検者Ｐを載
置する臥位テーブル３０には、被検者Ｐを透過したＸ線を検出するＸ線平面検出器３１、
散乱線を除去するためのグリッド３２などと、本発明の特徴となる撮影用のレディースイ
ッチ７２が設けられている。なお、臥位テーブル３０に代えて立位スタンドとすることも
あり、その場合も臥位テーブル３０と同様に、Ｘ線平面検出器３１やグリッド３２などと
ともに撮影用のレディースイッチ７２が設けられる。
【００２０】
一方、操作室２に設けられている操作部４０は、曝射スイッチ７３が備えられている。
また、画像処理装置５０には、Ｘ線診断装置全体を有機的に制御する制御部５１、Ｘ線平
面検出器３１からのデータを受取る入力部５２、各種プログラムやデータを記憶する記憶
部５３、Ｘ線平面検出器３１から得られたデータに基づきＸ線画像を形成する画像処理部
５４、モニタ６０に画像などを表示させるための表示出力部５５、画像データなどをネッ
トワークへ送出するためのネットワーク出力部５６などが設けられている。
【００２１】
次に、上記のように構成された本発明に係るＸ線診断装置の動作について説明する。
【００２２】
レディースイッチ７１、７２は、図５で説明した従来の撮影スイッチ９における１段目
のスイッチ９ａに相当するものであり、曝射スイッチ７３は、従来の撮影スイッチ９にお
ける２段目のスイッチ９ｂに相当するものである。そこで、レディースイッチ７１、７２
の何れかを一度押すことによってオン信号がＸ線高電圧装置２０のＸ線制御部２２へ供給
される。そして、Ｘ線制御部２２はこの信号を受けて、高電圧発生器２１に対して、Ｘ線
管１３のフィラメントを加熱したり、Ｘ線管１３のロータを回転させたりするとともに、
高電圧をチャージするなどの動作指示を発し、所定の撮影準備状態（レディー状態）を維
持させる。その後曝射スイッチ７３を押すことによって、Ｘ線管１１からＸ線が曝射され
撮影が完了する。
【００２３】
この動作状態を図６の従来のものと対比したタイミング図で示すと、図２のように表さ
れる。すなわち、医師や技師などのオペレータは、検査室１において撮影に適するように
、Ｘ線管保持装置１０の位置や臥位テーブル３０上の被検者Ｐの位置を調整する。この位
置決めが終わるとオペレータは、Ｘ線管保持装置１０に設けられているレディースイッチ
７１または臥位テーブル３０に設けられているレディースイッチ７２の何れかを押す。こ
の信号はＸ線制御部２２へ送られるので、Ｘ線高電圧装置２０は撮影準備状態になるよう
に動作を開始する。オペレータはレディースイッチ７１、７２を押すと、被検者Ｐへ息止
めを指示しながら操作室２へ移動する。このオペレータが移動している間に、ほぼ撮影準
備状態が整うので、オペレータは操作室２の操作部４０で、そこに設けられている曝射ス
イッチ７３を押すことによってＸ線撮影を実施する。
【００２４】
このように、本発明によれば、レディースイッチ７１、７２を検査室１側にあるＸ線管
保持装置１０または臥位テーブル３０（立位スタンドでも同様である）に設けたので、オ
ペレータは、Ｘ線管保持装置１０や被検者のポジショニングを行うと、その場でレディー
スイッチ７１、７２を押してＸ線管を撮影準備状態に入らせることができる。そして、オ
ペレータが操作室へ移動している間にＸ線管の撮影準備状態が完了することとなり、操作
室２の操作部４０に着くと直ぐに曝射スイッチ７３を押してＸ線撮影を実施することがで
きる。従って、被検者に息止めを要求する時間が短縮されるので、被検者の苦痛を軽減す
ることができ、加えて、撮影のスループットも向上される。
【００２５】
なお、撮影準備状態（レディー状態）を解除する条件としては、曝射スイッチ７３が押
された場合、レディースイッチ７１、７２を再度押した場合、最初にレディースイッチ７
１、７２を押してから所定時間経過しても曝射スイッチ７３が押されない場合、その他の
解除指令が発せられた場合など、種々の条件を設定することが可能である。
【００２６】
また、レディースイッチ７１、７２は、Ｘ線管保持装置１０または臥位テーブル３０（
或いは立位スタンド）の両方に設けなくとも、何れか一方に設けても良い。
【００２７】
本発明は上述の実施例に限ることなく、種々の形態での実施が可能である。例えば、レ
ディースイッチ７１、７２を１回だけではなく、２回以上所定の回数押したときにレディ
ー状態に入るようにしても良い。このようにすると、ノイズによる誤動作を防止し、不測
の事態へも対処することができて安全性を向上することができる。なお、レディー状態を
解除する場合も同様に、レディースイッチ７１、７２を所定の回数以上押したり、所定の
回数を２度押したりして解除するようにしてもよい。
【００２８】
また、レディースイッチ７１、７２を例えば０．５〜１秒程度の間長押ししたときにレ
ディー状態に入るようにしたり、複数のレディースイッチ７１、７２を押してそのＡＮＤ
を取ってレディー状態に入るようにしたりしても良く、これにより誤作動や誤動作に対す
る安全性を高めることができる。
【００２９】
さらに、レディースイッチ７１、７２をＸ線管保持装置１０または臥位テーブル３０に
固定的に設けるのではなく、携帯可能なワイヤーレス型のものとしても良い。すなわち、
携帯可能なレディースイッチに電波、音波、光などの信号を発する発信器を備え、この信
号を受信する受信器をＸ線制御部２２に設けることにより、携帯可能なワイヤーレス型レ
ディースイッチとＸ線制御部２２とを無線接続できるので、操作の自由度をより増すこと
ができ、撮影のスループットの向上により寄与することができる。
【００３０】
なおさらに、操作室２側の操作部４０に備えられている曝射スイッチ７３の他に、従来
と同様にレディースイッチと曝射スイッチとを２段式にした撮影スイッチを操作部４０に
別に設けてもよく、或いは曝射スイッチ７３にレディースイッチの機能をもたせるように
してもよい。
【００３１】
また、Ｘ線診断装置の実施例として、Ｘ線平面検出器３１を用いるものについて説明し
たが、Ｘ線平面検出器３１によらず直接Ｘ線フィルムにＸ線像を写し込むものにも本発明
は適用できることは言うまでもない。
【図面の簡単な説明】
【００３２】
【図１】本発明に係るＸ線診断装置の一実施例の概略的な構成を示した系統図である。
【図２】本発明に係るＸ線診断装置の一実施例における、撮影スイッチの操作とＸ線管の動作状態とを説明したタイミング図である。
【図３】本発明に係るＸ線診断装置による撮影操作の流れと被検者との関係を説明した説明図である。
【図４】Ｘ線診断装置の設置される検査室と操作室との関係を示した平面図である。
【図５】従来の撮影スイッチの形式と操作を説明した説明図である。
【図６】従来の撮影スイッチの操作とＸ線管の動作状態とを説明したタイミング図である。
【図７】従来の撮影操作の流れと被検者との関係を説明した説明図である。
【符号の説明】
【００３３】
１  検査室
２  操作室
１０  Ｘ線管保持装置
１１  Ｘ線管
２０  Ｘ線高電圧装置
２１  高電圧発生器
２２  Ｘ線制御部
３０  臥位テーブル
３１  Ｘ線平面検出器
４０  操作部
５０  画像処理装置
７１  レディースイッチ
７２  レディースイッチ
７３  曝射スイッチ
【図１】
2008272132.tif 000003
【図２】
2008272132.tif 000004
【図３】
2008272132.tif 000005
【図４】
2008272132.tif 000006
【図５】
2008272132.tif 000007
【図６】
2008272132.tif 000008
【図７】
2008272132.tif 000009